(57)【要約】【課題】本発明は、所定の通信対象機器が非接触型情報カードにアクセスしようとしていること又はアクセスしている状態をユーザに通知することによりスキミングを防止させるようにする。【解決手段】本発明は、悪意ユーザのリーダライタから送信される電磁波の周波数に同調させ、当該電磁波から得られる信号電流を整流し、その整流された結果得られる信号電圧と所定の閾値電圧とを比較し、当該信号電圧が閾値電圧を超えたとき第１の音色による第１出力音をブザー７から放音し、信号電圧からデータ変調部分を抽出し、当該データ変調部分における電圧変化に応じて第２の音色による第２出力音を当該ブザー７から放音するようにする。【選択図】図３
2007200231.tif 000002
【特許請求の範囲】
【請求項１】
所定の通信対象機器から送信される電磁波の周波数に同調させる同調手段と、
上記同調手段によって上記電磁波から得られる信号電流を整流する整流手段と、
上記整流手段により整流された上記信号電圧と所定の閾値電圧とを比較し、上記信号電圧が上記閾値電圧を超えたとき第１の音色による第１出力音を放音する第１出力音発生手段と、
上記信号電圧からデータ変調部分を抽出し、当該データ変調部分における電圧変化に応じて第２の音色による第２出力音を放音する第２出力音発生手段と
を具えることを特徴とする非接触型情報カード。
【請求項２】
上記非接触型情報カードは、
上記通信対象機器との間で本来的に通信を行うための本非接触型情報カードと重ねられた状態で用いられる
ことを特徴とする請求項１に記載の非接触型情報カード。
【請求項３】
共振回路を用いて所定の通信対象機器から送信される電磁波の周波数に同調させる同調ステップと、
上記同調ステップで同調させた上記電磁波から得られる信号電流を整流手段によって整流する整流ステップと、
上記整流ステップで整流された上記信号電圧と所定の閾値電圧とを比較し、上記信号電圧が上記閾値電圧を超えたとき、所定の放音手段によって第１の音色による第１出力音を放音する第１出力音発生ステップと、
上記信号電圧からデータ変調部分を抽出し、当該データ変調部分における電圧変化に応じて上記放音手段により第２の音色による第２出力音を放音する第２出力音発生ステップと
を具えることを特徴とする非接触型情報カードのアクセス通知方法。
【請求項４】
所定の非接触型情報カードに対して、
共振回路を用いて所定の通信対象機器から送信される電磁波の周波数に同調させる同調ステップと、
上記同調ステップで同調させた上記電磁波から得られる信号電流を整流手段によって整流する整流ステップと、
上記整流ステップで整流された上記信号電圧と所定の閾値電圧とを比較し、上記信号電圧が上記閾値電圧を超えたとき、所定の放音手段によって第１の音色による第１出力音を放音する第１出力音発生ステップと、
上記信号電圧からデータ変調部分を抽出し、当該データ変調部分における電圧変化に応じて上記放音手段により第２の音色による第２出力音を放音する第２出力音発生ステップと
を実行させることを特徴とする非接触型情報カードのアクセス通知プログラム。
【発明の詳細な説明】
【技術分野】
【０００１】
本発明は、非接触型情報カード、非接触型情報カードのアクセス通知方法及び非接触型情報カードのアクセス通知プログラムに関し、例えばキャッシュカード、クレジットカード等の非接触ＩＣ(Integrated Circuit)カードに適用して好適なものである。
【背景技術】
【０００２】
従来、電子マネーなどの用途のため、非接触ＩＣカードとして鉄道の前払いカード、キャッシュカードやクレジットカード等が広く普及している。一般に、このような非接触ＩＣカードでは、数センチ離れた状態でリーダライタとの通信を可能とした構造上、当該非接触ＩＣカードのデータがスキミングされる恐れがあった。
【０００３】
このような非接触ＩＣカードのスキミングに対する防衛策として、当該非接触ＩＣカードを動作させるための拠り所である磁界を遮断してしまうような金属製カードやシートが開発されている（例えば、非特許文献１参照）。
【非特許文献１】朝日新聞の速報ニュースサイト、「とれんどサーチ」、２００５年１０月９日、[平成１７年１０月１９日検索]、インターネット＜URL:http://be.asahi.com/be_s/20051009/20050929TKEZ0007A.html＞
【０００４】
しかしながら、上述したような金属製カードやシートを用いる場合、非接触ＩＣカードが動作しないようにして保護しているため、当該非接触ＩＣカードを利用する際、金属製カードを無効にしたり、シートを外すという煩雑な動作が必要であった。
【０００５】
このような点を解決するものとして、不正アクセス動作の回数が所定回数以上になった場合に、音声出力して警告する不正使用牽制機能付きＩＣカードがある（例えば、特許文献１参照）。
【特許文献１】特開2003-187205公報
【発明の開示】
【発明が解決しようとする課題】
【０００６】
ところでかかる構成の不正使用牽制機能付きＩＣカードにおいては、不正アクセス動作の回数が所定回数以上になるまでは音声出力することがない構造であるため、所定回数以上になるまではアクセスを許すことになり、悪意のユーザがアクセスすることを試みていることや、実際にアクセスしている状況を必ずしもユーザに警告していないという問題があった。
【０００７】
また、一般の非接触ＩＣカードでは、ユーザが当該非接触ＩＣカードと、リーダライタとを近づけた場合でも、当該リーダライタが何らかの不具合で故障しているか、もしくはＩＣカード自体の機能をロックしている場合に、通信することができない理由をユーザに対して即座に認識させることが出来ないという問題があった。
【０００８】
本発明は以上の点を考慮してなされたもので、所定の通信対象機器が非接触型情報カードにアクセスしようとしていること又はアクセスしている状態をユーザに通知することによりスキミングを防止させる非接触型情報カード、非接触型情報カードのアクセス通知方法及び非接触型情報カードのアクセス通知プログラムを提案しようとするものである。
【課題を解決するための手段】
【０００９】
かかる課題を解決するため本発明においては、所定の通信対象機器から送信される電磁波の周波数に同調させ、当該電磁波から得られる信号電流を整流し、その整流された結果得られる信号電圧と所定の閾値電圧とを比較し、当該信号電圧が閾値電圧を超えたとき第１の音色による第１出力音を放音し、信号電圧からデータ変調部分を抽出し、当該データ変調部分における電圧変化に応じて第２の音色による第２出力音を放音するようにする。
【００１０】
これにより、通信対象機器からの閾値電圧以上の信号電圧を得たときは当該通信対象機器からのアクセスがあったとして第１の音を出力し、信号電圧から抽出したデータ変調部分の電圧変化に応じて第２の音を出力することができるので、第１の音又は第２の音によって通信対象機器がアクセスしようとしていること又はアクセスしている状態を音色によってユーザに通知することができる。
【発明の効果】
【００１１】
本発明によれば、通信対象機器からの閾値電圧以上の信号電圧を得たときは当該通信対象機器からのアクセスがあったとして第１の音を出力し、信号電圧から抽出したデータ変調部分の電圧変化に応じて第２の音を出力することができるので、第１の音又は第２の音によって通信対象機器がアクセスしようとしていること又はアクセスしている状態を音色によってユーザに通知することができ、かくして所定の通信対象機器が非接触型情報カードにアクセスしようとしていること又はアクセスしている状態をユーザに通知することによりスキミングを防止させる非接触型情報カード、非接触型情報カードのアクセス通知方法及び非接触型情報カードのアクセス通知プログラムを実現することができる。
【発明を実施するための最良の形態】
【００１２】
以下、図面について、本発明の一実施の形態を詳述する。
【００１３】
（１）ＩＣカードアクセス通知装置の概要
図１において、１は本発明における非接触型情報カードモジュールとしてのＩＣカードアクセス通知装置を示し、所定の通信対象機器であるリーダライタ（図示せず）と非接触で無線通信するための非接触ＩＣカード２に対して重ねられた状態で用いられるようになされている。
【００１４】
このＩＣカードアクセス通知装置１は、その縦、横及び幅の寸法が非接触ＩＣカード２とほぼ同一サイズでなり、重ねられた状態で両者が一体化した状態を形成し得るようになされている。これによりユーザは、ＩＣカードアクセス通知装置１を非接触ＩＣカード２と重ねた状態で所持するだけで、あたかも非接触ＩＣカード２だけを所持しているかのような印象を他人に与え得るようになされている。
【００１５】
（２）ＩＣカードアクセス通知装置の構成
図２に示すように、ＩＣカードアクセス通知装置１は、例えばプラスチック成型されたカード状媒体３にＩＣカードアクセス通知モジュール４が埋め込まれた構造を有している。
【００１６】
このＩＣカードアクセス通知モジュール４では、その周囲部分にコイル５が貼り付けられ、そのコイル５にＩＣチップ６が接続され、当該ＩＣチップ６にはブザー７が接続されている。
【００１７】
ここでＩＣカードアクセス通知モジュール４の具体的な回路構成としては、図３に示すように、コイル５に対してＩＣチップ６のコンデンサ９が並列接続されることにより共振回路８が構成され、非接触ＩＣカード２とリーダライタとの間で通信する際の同調周波数よりも若干高い同調周波数に設定されている。
【００１８】
これによりＩＣカードアクセス通知装置１は、非接触ＩＣカード２と重ねられた状態で用いられたときに、相互インダクタンスが発生して同調周波数が若干下がったときでも、リーダライタと非接触ＩＣカード２との間で通信する際の同調周波数とほぼ等しくなるように考慮されている。
【００１９】
この共振回路８には整流器１０が接続されており、当該共振回路８から供給されるＲＦ(Radio Frequency)信号の信号電流Ｄｉを当該整流器１０によって整流し、その結果得られる信号電圧ＤｖがＲＦ電圧検出器１１及びデータ検出器１２へ供給される。
【００２０】
ＲＦ電圧検出器１１は、整流器１０から供給されたＲＦ信号の信号電圧Ｄｖと、予め内部で保持している所定レベルの閾値電圧ＴＨｖ（例えば２．５[V]）とを比較し、当該ＲＦ信号の信号電圧Ｄｖが閾値電圧ＴＨｖよりも大きな電圧レベルのとき、図４に示すように制御信号Ｓ１をブザー７へ出力し、当該ブザー７から第１の音色からなる第１出力音を放音するようになされている。
【００２１】
データ検出器１２は、検波器でなり、整流器１０から供給されたＲＦ信号のうちデータ変調部分を抽出し、そのデータ変調部分における電圧変化が一定レベル以上になったとき、図４に示すように制御信号Ｓ２をブザー７へ出力し、当該ブザー７から第１の音色とは異なる第２の音色でなる第２の出力音を放音するようになされている。
【００２２】
（３）動作及び効果
以上の構成において、ＩＣカードアクセス通知装置１は、非接触ＩＣカード２と重ねられた状態でユーザに所持されているので、悪意ユーザのリーダライタから非接触ＩＣカード２に対してアクセスしようとしていることをＲＦ信号の電圧レベルに基づいて検出したとき第１の出力音をブザー７から発生させ、その後データ変調部分における電圧変化が一定レベル以上になったときは、リーダライタから何らかの命令が送られていて当該非接触ＩＣカード２のデータが漏洩する恐れがあるので第２の出力音をブザー７から発生させる。
【００２３】
これによりＩＣカードアクセス通知装置１では、悪意ユーザのリーダライタから非接触ＩＣカード２に対する不正アクセスの有無及びアクセス中の状態変化を、ブザー７から放音される第１の出力音または第２の出力音によってユーザに通知することができる。
【００２４】
これによりユーザは、ブザー７から放音される第１の出力音または第２の出力音を聴取することにより、悪意ユーザのリーダライタから不正アクセスを受けただけなのか、実際にデータが漏洩する可能性があるのかを判別することができ、種々の対応策を講じることができる。
【００２５】
すなわちＩＣカードアクセス通知装置１では、悪意ユーザのリーダライタから不正アクセスを受けただけの時点であってもブザー７からの第１の出力音を放音してユーザに通知することができるので、当該ユーザに対して不正アクセスが成功することを未然に防止させることができる。
【００２６】
またＩＣカードアクセス通知装置１は、ＲＦ信号のデータ変調部分における電圧変化が一定レベル以上になったときはブザー７から第２の出力音を放音してユーザに通知することができるので、リーダライタから何らかの命令が送られていて当該非接触ＩＣカード２のデータが漏洩する恐れがあることを認識した時点で、当該ユーザに対してデータ漏洩を未然に防ぐための対策を講じさせることができる。
【００２７】
さらにＩＣカードアクセス通知装置１は、非接触ＩＣカード２とほぼ同一サイズで構成されているため、ユーザに対して当該非接触ＩＣカード２と重ねた状態で所持させるだけで、当該ユーザに対して格別な意識をさせることなくスキミング対策を講じさせることができる。
【００２８】
以上の構成によれば、ＩＣカードアクセス通知装置１は、悪意ユーザのリーダライタからの非接触ＩＣカード２に対する不正アクセス及びそのアクセス状態を２種類の音で通知することにより、非接触ＩＣカードのデータがスキミングされることを確実かつ未然に防止することができる。
【００２９】
（４）他の実施の形態
なお上述の実施の形態においては、ＩＣカードアクセス通知モジュール４をカード状媒体３に埋め込むことにより非接触ＩＣカード２とほぼ同一サイズ及び形状でなるＩＣカードアクセス通知装置１を構成するようにした場合について述べたが、本発明はこれに限らず、ＩＣカードアクセス通知モジュール４を用いて非接触ＩＣカード２とは異なるサイズ及び形状でなるＩＣカードアクセス通知装置を構成するようにしても良い。
【００３０】
また上述の実施の形態においては、ＩＣカードアクセス通知装置１と非接触ＩＣカード２とを重ねた状態で用いるようにした場合について述べたが、本発明はこれに限らず、悪意ユーザのリーダライタからの電磁波をＩＣカードアクセス通知装置１が受信することができれば、ＩＣカードアクセス通知装置１と非接触ＩＣカード２とを所定距離だけ離れた状態で用いるようにしたり、或いはＩＣカードアクセス通知装置１と非接触ＩＣカード２との間に紙状シート等を介在させるようにしても良い。
【００３１】
さらに上述の実施の形態においては、共振回路８の同調周波数を、非接触ＩＣカード２とリーダライタとの間で通信する際の同調周波数よりも若干高く設定するようにした場合について述べたが、本発明はこれに限らず、ＩＣカードアクセス通知装置１と非接触ＩＣカード２とを重ねた状態で用いることがないのであれば、ほぼ同じ同調周波数に設定するようにしても良い。
【００３２】
さらに上述の実施の形態においては、ＩＣカードアクセス通知装置１と非接触ＩＣカード２とを別々に構成するようにした場合について述べたが、本発明はこれに限らず、非接触ＩＣカード２にＩＣカードアクセス通知モジュール４を搭載することにより一体化したり、ＩＣカードアクセス通知装置１に非接触ＩＣカード２のカード機能を搭載することにより一体化するようにしても良い。
【００３３】
さらに上述の実施の形態においては、ブザー７から第１の出力音又は第２の出力音を放音することにより悪意ユーザのリーダライタからの非接触ＩＣカード２に対する不正アクセス及びそのアクセス状態をユーザに通知するようにした場合について述べたが、本発明はこれに限らず、第１の出力音又は第２の出力音にそれぞれ合わせた第１パターンのバイブレーション又は第２パターンのバイブレーションを組み合わせて発生させるようにしても良い。
【００３４】
さらに上述の実施の形態においては、同調手段としての共振回路８、整流手段としての整流機１０、第１出力音発生手段としてのＲＦ電圧検出器１１及びブザー７、第２出力音発生手段としてのデータ検出器１２及びブザー７とによって本発明の非接触型情報カードとしてのＩＣカードアクセス通知装置１を構成するようにした場合について述べたが、本発明はこれに限らず、その他種々の回路構成によって本発明の非接触型情報カードを構成するようにしても良い。
【産業上の利用可能性】
【００３５】
本発明の非接触型情報カード、非接触型情報カードのアクセス通知方法及び非接触型情報カードのアクセス通知プログラムは、例えば鉄道の前払いカード、キャッシュカードやクレジットカード等以外にもセキュリティーカードやＥＴＣ(Electronic Toll Collection System)カード等のその他種々の無線通信用カードに適用することができる。
【図面の簡単な説明】
【００３６】
【図１】本発明のＩＣカードアクセス通知装置の概要説明に供する略線的斜視図である。
【図２】ＩＣカードアクセス通知装置の構成を示す略線図である。
【図３】ＩＣカードアクセス通知装置の回路構成を示す略線的ブロック図である。
【図４】音声出力制御の説明に供する略線図である。
【符号の説明】
【００３７】
１……ＩＣカードアクセス通知装置、２……非接触ＩＣカード、３……カード状媒体、４……ＩＣカードアクセス通知モジュール、５……コイル、６……ＩＣチップ、７……ブザー、８……共振回路、９……コンデンサ、１０……整流器、１１ＲＦ電圧検出器、１２……データ検出器。
【図１】
2007200231.tif 000003
【図２】
2007200231.tif 000004
【図３】
2007200231.tif 000005
【図４】
2007200231.tif 000006